(57)【要約】【課題】ドームスイッチのドームの接触による筐体の削れを防止する。【解決手段】部材（筐体４、フロントケース４−１、スイッチ取付部２０）に形成された少なくとも二つの配線（２８−１、２８−２）と、ドームスイッチ（１４）とを有する電子機器（携帯電話機２）であって、各配線（２８−１、２８−２）の間には、段差部（溝部３０）が備えられており、この段差部（溝部３０）には前記配線の一方（配線２８−２）が延設されている。【選択図】図３
2015216448.tif 000002
【特許請求の範囲】
【請求項１】
部材に形成された少なくとも二つの配線と、ドームスイッチとを有する電子機器であって、
各配線の間に段差部を備え、
該段差部に前記配線の一方を延設したことを特徴とする電子機器。
【請求項２】
第１の配線が形成された溝部と、
前記ドームスイッチの金属ドームが載置され、該金属ドームのエッジに接触する第２の配線と、
前記第２の配線から延長されて前記溝部内に臨ませられた延設部と、
を備えることを特徴とする請求項１に記載の電子機器。
【請求項３】
前記金属ドームのドーム内に設置された前記配線の接点部に単一または複数の凸部を備えることを特徴とする請求項１または２に記載の電子機器。
【発明の詳細な説明】
【技術分野】
【０００１】
本開示の技術は、ドームスイッチを備える携帯電話機などの電子機器に関する。
【背景技術】
【０００２】
携帯電話機などの電子機器ではドームスイッチが設置される。このドームスイッチには、スライドキー操作で変形する金属ドームと、この金属ドームと接触させる接点部が備えられる。金属ドーム側および接点部側のそれぞれには蒸着印刷などで形成された配線が備えられる。
【０００３】
このような電子機器において、外部ケース内面に導電パターンを印刷などで設けることが知られている（特許文献１）。
【先行技術文献】
【特許文献】
【０００４】
【特許文献１】特開平１−１３８７９４号公報
【発明の概要】
【発明が解決しようとする課題】
【０００５】
ところで、携帯電話機などの電子機器ではドームスイッチが筐体などの絶縁性を持つ合成樹脂材料で形成された部材上に形成される。
【０００６】
図８のＡは、部材１０２に設置されたドームスイッチ１０４を示している。このドームスイッチ１０４には金属ドーム１０６が設置される。この金属ドーム１０６に対し、部材１０２側には、図８のＢに示すように、接点部１０８を備える一方の配線１１０が形成され、接点部１０８の周囲には配線１１２の環状部１１４が形成されている。この環状部１１４と配線１１０との間には絶縁間隔１１６が設定される。この絶縁間隔１１６には合成樹脂で形成された部材１０２が露出している。
【０００７】
図８のＣは、環状部１１４に載置された金属ドーム１０６の一部であるエッジ部１１８と部材１０２の接触関係を示している。金属ドーム１０６が進退し、そのエッジ部１１８が絶縁間隔１１６内の部材１０２に繰返し当たると、部材１０２を形成している合成樹脂などに削れが生じるという課題がある。斯かる削れが生じると、この削れがドームスイッチの押し感の悪化や、金属ドームの接触不良などの原因になる。
【０００８】
そこで、本開示の技術の目的は、ドームスイッチのドームの接触による筐体の削れを防止することにある。
【課題を解決するための手段】
【０００９】
上記目的を達成するため、本開示の構成の一側面によれば、部材に形成された少なくとも二つの配線と、ドームスイッチとを有する電子機器である。各配線の間には段差部が備えられ、該段差部に前記配線の一方が延設されている。
【発明の効果】
【００１０】
本開示の技術によれば、金属ドームとの接触による部材の削れを防止できる。
【図面の簡単な説明】
【００１１】
【図１】一実施の形態に係る携帯電話機の一例を示す斜視図である。
【図２】携帯電話機のドームスイッチ取付部分の断面およびその拡大断面を示す断面図である。
【図３】ドームスイッチを示す斜視図である。
【図４】ドームスイッチおよびその一部を拡大して示す平面図である。
【図５】図４のVA−VA線断面およびその一部を拡大して示す断面図である。
【図６】金属ドームの断面形状を示す断面および一部を拡大して示す断面図である。
【図７】接点部の変形例を示す図である。
【図８】従来のドームスイッチによる部材の削れを説明するための図である。
【発明を実施するための形態】
【００１２】
図１は、本開示の電子機器の一実施の形態に係る携帯電話機の一例を示している。この携帯電話機２には平板状の筐体４が備えられる。この筐体４の上面にはたとえば、ＬＣＤ（Liquid Crystal Display）を用いた表示部６が設置されている。筐体４の側面部には複数のサイドキー８が設置され、これらサイドキー８は矢印Ｐ方向および矢印Ｑ方向に進退可能である。
【００１３】
図２のＡは、図１のIIA−IIA線切断断面を示している。既述の筐体４にはフロントケース４−１、リアケース４−２およびリアカバー４−３が含まれる。フロントケース４−１は、携帯電話機２の前面側に設置され、リアケース４−２は携帯電話機２の背面側に設置される。リアカバー４−３はリアケース４−２の外面に設置され、その外面を被覆している。
【００１４】
フロントケース４−１と、リアケース４−２との接合部には支持孔１０が形成されている。この支持孔１０には、サイドキー８のキー本体１２が進退可能に設置されている。このキー本体１２には、ドームスイッチ１４を操作する操作凸部１６が備えられ、この操作凸部１６の先端部がドームスイッチ１４の上面部に接触している。
【００１５】
また、キー本体１２の後部には支持孔１０からキー本体１２の抜けを防止する抜け止め部１８が形成されている。この抜け止め部１８は支持孔１０を超えてリアケース４−２の内壁面側に突出し、リアケース４−２の内壁面に係合している。したがって、キー本体１２を矢印Ｐ方向に押せば、操作凸部１６からの押圧力をドームスイッチ１４が受け、その押圧力を解除すれば、ドームスイッチ１４の原形復帰力でキー本体１２が矢印Ｑ方向に移動し、元の位置に戻る。これにより、ドームスイッチ１４が閉じられた後、そのＱ方向への移動で開かれる。
【００１６】
フロントケース４−１にはドームスイッチ１４を取り付ける本開示の部材の一例としてスイッチ取付部２０がフロントケース４−１と一体に形成されている。このスイッチ取付部２０は、フロントケース４−１に対して直交方向に突出している。このスイッチ取付部２０とリアケース４−２の内壁面との間には止水部材２２が設置され、この止水部材２２によりケース内空間２４の止水化が図られている。このケース内空間２４には回路基板２６などが設置される。
【００１７】
スイッチ取付部２０には第１の配線２８−１および第２の配線２８−２が配線用導体材料の蒸着印刷または塗布によって形成される。配線２８−１側には溝部３０および第１の透孔部３２−１が形成されている。溝部３０は段差部の一例であり、配線２８−１と配線２８−２との間に段差を形成する。
【００１８】
この配線２８−１は、スイッチ取付部２０のドームスイッチ１４側の面部から溝部３０および透孔部３２−１を経て、スイッチ取付部２０の背面およびフロントケース４−１の内壁面に配設されている。透孔部３２−１には止水性材料である接着剤３４が埋め込まれ、透孔部３２−１が止水化されている。この配線２８−１には、回路基板２６に取り付けられた弾性接点３６が接触しており、回路基板２６側の回路に接続されている。
【００１９】
フロントケース４−１の前面には既述の表示部６の一例であるＬＣＤ（Liquid Crystal Display）素子が設置されている。
【００２０】
図２のＢは、図２のＡのＢ部の拡大断面を示している。ドームスイッチ１４には金属ドーム３８が備えられる。この金属ドーム３８はステンレスなどの剛性の高い良導体金属で湾状ドーム形に形成されている。この金属ドーム３８は、配線２８−２上に設置されて電気的に接続されている。これに対し、配線２８−１と配線２８−２との間には絶縁間隔４０が設定され、配線２８−１に対して金属ドーム３８が接触可能に維持されている。この金属ドーム３８のサイドキー８側の面部には、防水シート４２が設置されている。この防水シート４２は金属ドーム３８および透孔部３２−１を覆って配置され、止水性接着シート４４によってスイッチ取付部２０に固定されている。
【００２１】
図３のＡは、スイッチ取付部２０、ドームスイッチ１４および配線２８−１、２８−２を示している。スイッチ取付部２０には、金属ドーム３８の下面側から透孔部３２−１に延びる溝部３０が形成され、この溝部３０は透孔部３２−１を内包している。この溝部３０の底部には配線２８−１が形成されている。これに対し、配線２８−２は、溝部３０の外側に形成され、溝部３０の内壁側に延びる延設部４６を備える。したがって、溝部３０に形成された配線２８−１と、溝部３０外の配線２８−２との間には段差が生じているとともに、溝部３０は内壁が配線２８−２の一部である延設部４６で被覆されている。
【００２２】
そして、配線２８−１は透孔部３２−１によってスイッチ取付部２０の背面側に導かれているのに対し、配線２８−２は第２の透孔部３２−２によりスイッチ取付部２０の背面側に導かれている。透孔部３２−１が溝部３０の中心線上に形成されているのに対し、透孔部３２−２はその中心線からずれた位置に形成されている。
【００２３】
図３のＢは、金属ドーム３８を外して各配線２８−１、２８−２を示している。スイッチ取付部２０には、配線２８−１の端部に円形の接点部４８が形成されている。この接点部４８を中心とする同心円上に配線２８−２の環状部５０が形成されている。溝部３０はドーム内エリア５２から透孔部３２−１の範囲で形成されている。ドーム内エリア５２は、金属ドーム３８との接触位置を外縁とするその内側である。つまり、溝部３０の始端が環状部５０と接点部４８との中間部に形成されている。
【００２４】
配線２８−１は接点部４８から溝部３０の始端側の壁部５４を経て溝部３０の底面に形成され、透孔部３２−１の内壁面に至る。一方、配線２８−２の環状部５０の各端部側にはそれぞれ延設部４６が形成され、各延設部４６が溝部３０の内壁部に回り込み、この延設部４６により溝部３０の縁部および内壁の一部が被覆されている。そして、配線２８−２は環状部５０から溝部３０に沿って延長され、配線２８−１および溝部３０と平行する平行部５６を備えている。この配線２８−２は、平行部５６から屈曲させて透孔部３２−２に至る。
【００２５】
図４のＡは、金属ドーム３８を配置したドームスイッチ１４の平面を示している。図４のＢは、図４のＡのＢ部を拡大して示している。配線２８−１の接点部４８の中心に金属ドーム３８の中心を合わせ、配線２８−２の環状部５０に金属ドーム３８が設置されている。これにより、金属ドーム３８のエッジ部５８は、溝部３０を跨がって配置されている。
【００２６】
図５のＡは、図４のＡのVA−VA断面を示している。図５のＢは、図５のＡのＢ部を拡大して示している。溝部３０には配線２８−２が回り込んで延設部４６が設置され、この延設部４６によってスイッチ取付部２０の表面部が防護されている。また、金属ドーム３８は、溝部３０内の配線２８−１と段差によって非接触状態に維持されている。そして、金属ドーム３８のエッジ部５８は、配線２８−２の環状部５０のみに接触して載置されている。つまり、金属ドーム３８のエッジ部５８は、スイッチ取付部２０を形成しているケース部材と接触していない。
【００２７】
図６のＡは、配線２８−２の環状部５０に設置される金属ドーム３８の断面形状を示している。図６のＢは、金属ドーム３８のエッジ部５８を拡大して示している。
【００２８】
金属ドーム３８は、屈曲可能に一方が凸となるように湾曲させた金属性ドーム体である。この金属ドーム３８のエッジ部５８は、配線２８−２の環状部５０の上面に接触しており、この金属ドーム３８と配線２８−２との成す角度θは数度に設定されている。
【００２９】
＜一実施の形態の作用および効果＞
【００３０】
以上説明したように、溝部３０側に配線２８−２を回り込ませ、金属ドーム３８のエッジ部５８に対するスイッチ取付部２０の面部は配線２８−２で覆われている。このため、金属ドーム３８が進退しても、そのエッジ部５８は配線２８−２に接触し、スイッチ取付部２０の形成部材に直接接触しない。つまり、スイッチ取付部２０の形成部材が金属ドーム３８のエッジ部５８に対して防護されている。このため、エッジ部５８による部材の削れなどの不都合はなく、スイッチの押し感やクリック感などの操作感を損なうことがない。
【００３１】
＜変形例＞
【００３２】
上記実施の形態では、接点部４８の上面を平坦面に形成しているが、たとえば図７のＡに示すように、複数の凸部６０を備えてもよい。図７のＢは、この凸部６０を備える接点部４８の拡大断面を示している。このような凸部６０を備えれば、押下荷重を受けた金属ドーム３８が変形して各凸部６０の何れかに接触させることができ、接触性を高めることができる。斯かる構成によれば、ドーム内エリア５２に予想できないごみなどが侵入した際にも、接触不良を防止でき、ドームスイッチ１４の開閉動作の信頼性を高めることができる。
【００３３】
この変形例では、スイッチ取付部２０に凸部６０の原形となる凸状部を成形によって形成し、この凸状部に金属蒸着や塗布で接点部４８の凸部６０を形成している。これに対し、金属蒸着や塗布の厚みを増加させて凸部６０を形成してもよい。
【００３４】
〔他の実施の形態〕
【００３５】
なお、上記実施の形態では、エッジ部５８が鋭角状に形成されているが、図６のＢに破線で示すように、エッジ部５８に環状部５０に面接触可能な接触面部６２を備えてもよい。
【００３６】
また、上記実施の形態では電子機器の一例として携帯電話機２を例示しているが、本開示の技術はこれに限定されない。ドームスイッチを備える機器であればよく、各種の電子機器が本開示の技術に含まれるものである。
【００３７】
また、上記実施の形態では、フロントケース４−１側にスイッチ取付部２０を備えているが、このスイッチ取付部２０はリアケース４−２側に備えてもよい。
【００３８】
以上説明したように、本開示の技術の最も好ましい実施の形態等について説明した。本発明は、上記記載に限定されるものではない。特許請求の範囲に記載され、または発明を実施するための形態に開示された発明の要旨に基づき、当業者において様々な変形や変更が可能であることは勿論である。斯かる変形や変更が本発明の範囲に含まれることは言うまでもない。
【符号の説明】
【００３９】
２  携帯電話機
４  筐体
４−１  フロントケース
４−２  リアケース
４−３  リアカバー
６  表示部
８  サイドキー
１０  支持孔
１２  キー本体
１４  ドームスイッチ
１６  操作凸部
１８  抜け止め部
２０  スイッチ取付部
２２  止水部材
２４  ケース内空間
２６  回路基板
２８−１  第１の配線
２８−２  第２の配線
３０  溝部
３２−１  第１の透孔部
３２−２  第２の透孔部
３４  接着剤
３６  弾性接点
３８  金属ドーム
４０  絶縁間隔
４２  防水シート
４４  止水性接着シート
４６  延設部
４８  接点部
５０  環状部
５２  ドーム内エリア
５４  壁部
【図１】
2015216448.tif 000003
【図２】
2015216448.tif 000004
【図３】
2015216448.tif 000005
【図４】
2015216448.tif 000006
【図５】
2015216448.tif 000007
【図６】
2015216448.tif 000008
【図７】
2015216448.tif 000009
【図８】
2015216448.tif 000010